(57)【要約】      （修正有）【課題】葬祭時の納骨作業は正装で行うのが通例であるため、手先だけで行う納骨作業を簡素化し的確に作業が行える用具を提供する。【解決手段】葬祭時に於いて、骨壺２をお墓の安置室に納める際に用いる道具とし、火鋏状の柄１の先端に骨壺２を保持できる構造の保持篭３を設け、納骨作業が終わり次第に保持篭３を柄１の反発力により自動的に左右に二分割できることを特徴とする。お墓の安置室内部が照明できるようにＬＥＤを用いた照明器具９を柄１の先端部分に付加し添設した。【選択図】図４
0003144511.tif 000002
【実用新案登録請求の範囲】
【請求項１】
葬祭時に於いて、骨壺をお墓の安置室に納める際に用いる道具とし、火鋏状の柄の先端に骨壺を保持できる構造の保持篭を設け、納骨作業が終わり次第に保持篭を柄の反発力により自動的に左右に二分割できることを特徴とする納骨用具。
【請求項２】
請求項１に於いて、お墓の安置室内部が照明できるようにＬＥＤを用いた照明器具を柄の先端部分に付加し添設した構造を有する納骨用具。
【考案の詳細な説明】
【技術分野】
【０００１】  本考案の道具は、葬祭時にお墓に納骨する際に用いるものであり、通常、石塔の形態をなす墓において、納骨にかかる作業時に狭隘な遺骨安置室（以下霊安室）の入口を通じて納骨する作業を簡素化し、霊安室の所定の位置に適格に納骨するための用具に関するもである。
【考案の開示】
【考案が解決しようとする課題】
【０００２】  通常、葬祭時の納骨作業を行う手順として、石積みで石塔とした墓の場合はお墓の天板部分にある泉水桶と称する部分の石をずらして取り除くことにより、納骨する霊安室の入口となる。【０００３】  その霊安室の入口は、天板部分に穴を開けた状態であり遺骨壺（以下骨壺）を出し入れできるのみの狭隘な穴である。従って、霊安室の所定の場所に手で骨壺を安置するためには、納めようとする骨壺を持った手を極限まで伸ばして骨壺を霊安室に差し入れなけばならず、時により骨壺を取り落としたりする不手際を生じることがある。【０００４】  従って、顔は天板に阻まれるために霊安室に入れることは不可能であり、天板の上で横向きの姿勢となるので、骨壺を持った手先を目視しながらの納骨作業ができない。【０００５】  納骨作業は、一旦骨壺を霊安室の適当な位置に配したのち、昼なお暗い霊安室の室内を覗いて納骨した骨壺の位置具合を確認し、位置具合が悪ければ棒切れなどを使って修正して、最後に泉水桶を元に戻して納骨作業を終えることになる。【０００６】  このように墓における納骨作業は、前述のごとき手順で行うことが一般的であり、とくに葬祭時の納骨作業は正装で行うのが通例であるため、手先だけで行うこの納骨作業を簡素化し的確に作業が行える用具を必要とする。
【課題を解決するための手段】
【０００７】  本考案は、前述の課題を解決するため、比較的に軽量の金属をもって合理的な納骨作業に適する納骨のための用具を提供する。【０００８】  すなはち、本考案の道具は比較的に軽量で強靱ななステンレスを素材とするもので、柄の部分はＶ字型の形状を成し、ステンレス材料は反発力を有しており柄の手元部分を握り締めれば先端が閉まり、柄を握り締めた手を緩めれば先端が開く機能の金属製火箸の如き形状である。【０００９】  かくなる柄の先端部分には、納骨する骨壺が保持できるよう円筒で篭状の保持部材（以下保持篭）を自在に動く接続状態でボルトなどの軸となる部材で締結し、円筒状の篭は縦に二分して左右に分割した形状となる。従って、分割された部材は合わせて保持篭となる。【００１０】  つまり、納骨にあたっては柄の部分に締結された保持篭が柄の保有する反発力により左右に分割された状態であるので、柄の部分を握り締めることにより柄の先端が閉まり、二分割されていた保持篭は、納骨しようとする骨壺を左右からそっと掌で包むように保持することができる。【００１１】  更に、この道具の柄は、手元を握った状態で固定部材（以下ストッパー）を前方にスライドさせるだけで柄の開閉がロックされるので柄の先端は開かず、納骨する骨壺は保持篭に保持された状態で霊安室の中に運ぶことができる。【００１３】  その結果、霊安室の所定の位置に骨壺を安置することができるが、その後、柄に備えたストッパーを手元にスライドさせることにより、柄の開閉ロックを解除し、柄の部材の反発力で保持篭が二分されるので骨壺の保持状態から解放される。従って、その場に安置された骨壺から保持篭を離脱させることができる。【００１４】  更に、暗いお墓の内部は、柄に添設されたＬＥＤ照明器具の点灯により明らかに目視できるので、霊安室内部の整理整頓が出来て納骨作業は、前述［０００５］の作業とは逆に天水桶を元の位置に戻して納骨作業を終えることになる。
【考案の効果】
【００１５】  本考案の道具を用いることにより、葬祭時の納骨作業が簡素化されてお墓の霊安室における作業を適切に行うことができる。【００１６】  そのうえ、納骨に際しては柄に添設したＬＥＤ照明器具の点灯により、霊安室内の様子が容易に視認できるので骨壺の配置の確認と整理整頓に役立つことになる。【００１７】  従って、先祖代々を祀る寄せ墓の場合は、とくに霊安室内における代々の骨壺の配列も大切なので、この道具を用いて具体的に正しい配列を求めるのにも役立ことになる。
【考案を実施するための最良の状態】
【００１８】  本考案の納骨用の道具は、軽量化と反発力に留意してステンレスの素材を用い、柄の部分（以下柄）は適当な薄板を加工して一般的なＶ字型をした火箸の如き形状とする。
さすれば、手元となる部分が一体となり先端となる部分はステンレス材料の反発力により開閉できる構造となり、軽量で手元を握り締めることができる形状となる。
【００１９】  従って、柄の手元を握り締めれば柄の先端は閉まり、握り締めた手を緩めることにより柄の先端が自動的に開く機能を有する柄の部分となる。
【００２０】  前述の機能を持った柄の先端に接続する骨壺の保持篭は、ステンレスを材料とする網を円筒状で底の部分を有する形に成型し骨壺を保持できる保持篭となる。そのうえ、この円筒状の保持篭は縦に二分割したものとする。
【００２１】  さらに、この二分割した保持篭は重心が下部にあって、柄の先端で自在に動き簡単に二分割したり合体できる状態に取り付けてある。
【００２２】  本考案の用具で骨壺を保持する場合は、柄の手元部分を握り締めることにより開いていた柄の先端部分が閉じ、ストッパーを柄の先端方向にスライドさせて固定することにより、先端に装着されている二分割していた保持篭が合体して、骨壺の両側から掌で包むように一つの篭となって骨壺を保持することができる。
【００２３】  以上の状態となった納骨用の道具の先端に骨壺を保持したまま、前述の霊安室の入口から保持篭を挿入することで安易に納骨が可能となり、柄に添設したＬＥＤ照明灯を点灯して霊安室の内部を照明しながらの納骨作業が容易に出来る。
【００２４】  墓の霊安室に納骨した骨壺の配置が完了した段階で、ストッパーを手前にスライドさせることで柄の開閉ロックが解除されるので、柄の先端が開き保持篭も両側に二分されて、保持篭で保持していた骨壺は霊安室の適当な位置に安置することができる。
【実施例】
【００２５】  以下、本考案による実施例を図面に基づいて説明する。【００２６】  まず、図５のごとき石塔型お墓の納骨作業にあたって、泉水桶７をずらす如く動かして霊安室８の入口を開放することにより作業を開始する。【００２７】  本考案の葬祭時における納骨作業に用いる用具は、図１の如くＶ字型をした柄１の先端ａ点とｂ点に骨壺の保持篭３を装着した形状であり、保持篭３は円筒状であり、縦に二分割し３’と３”からなる部材である、すなはち、３’と３”は合体すると図４の如き保持篭３が形成される。【００２８】  また、各図に於いて、柄１の先端ａ点とｂ点には軸ボルトとナット４によって軽度に締め付けて接続いされているので、ａ点には３’ｂ点には３”を、保持篭３の重心が下方に有って柄１の先端でぶら下がって揺れるようにに各々緩く取り付けられている。【００２９】  すなはち、図１の状態で取り付けられている保持篭３の片方３’と３”は、柄１のの手元部分ｃを片手で握り締めることにより、柄１の先端部位のａとｂが閉じる如く接近するので、図３の如き保持篭の片方の部材３’と３”が合体して保持篭３を形成する。【００３０】  図４の如く、柄１を握り締めた状態で、ストッパー５を柄１の先端方向←に移動させると、柄１の先端が閉じたままにロックされ保持篭３も合体した状態を保ち、骨壺２を保持篭３で保持できることとなる。【００３１】  従って納骨作業の際は、図４の状態で保持篭３の中に骨壺２を収容して図５の霊安室８まで運ぶことが可能となり、この場合、ＬＥＤによる照明灯９を点灯させて暗い霊安室の内部を照らしながら作業を行うこととなる。【００３２】  一旦、霊安室５の内部に納骨を終えたときは、図３の如くストッパー５を柄１の手前方向→にスライドすると素材の反発力で柄の先端が開くので、保持篭３が３’と３”に二分割され、その場に骨壺２を安置できることになる。【００３３】  その他、本考案の道具を用いて、霊安室５の内部を整理整頓する場合も、前述の操作を繰り返して行うことができる。
【産業上の利用可能性】
【００３４】  本考案の葬祭の際に用いる納骨用の道具は、通常の石塔型のお墓で行う納骨の儀式に欠かせないものであり、従来の納骨儀式で納骨に四苦八苦していた納骨作業に利便性が生ずるので、的確な納骨作業に必要な用具となる可能性は高い。【００３５】  従って、大量生産の道具として各戸に備えるものとならないまでも、必要不可欠な用具として葬祭を司る各寺院や葬祭場に常時に備え、納骨の儀式に役立てる必要もある。【００３６】  また、葬祭を行うまでもなく、我が家のお墓の霊安室を整理整頓と確認をしたい機会にも、利用度の高い用具であるため、この用途でも必要な道具である。従って、本考案の納骨用の用具の普及性も自然と昂揚するものである。【００３７】  以上のことから、本考案の用具は産業上十分に利用することができ、葬祭時の必需品となり得る用具であり、葬祭時の納骨作業に活用できるものである。
【図面の簡単な説明】
【００３８】
【図１】本考案の納骨用用具の形状を示す斜視図。
【図２】本考案の納骨用用具を横から見た形状を示す見取り図。
【図３】本考案の納骨用用具の柄が開いた状態を上から見た形状を示す見取り図。
【図４】本考案の納骨用用具の柄を握り締め、骨壺を先端の保持篭に収容した状態を示す見取り図。
【図５】墓の一般的な石塔型の外形を示す見取り図。
【符号の説明】
【００３９】  １．納骨用具の柄の部分。
ａ．柄の先端の部位であり、二分割した保持篭３’を接続する位置。
ｂ．柄の先端の部位であり、二分割した保持篭３”を接続する位置。
ｃ．柄の手元部分。
２．骨壺。
３．骨壺を保持する保持篭。
３’保持篭を縦に二分割した片方の部材。
３”保持篭を縦に二分割した片方の部材。
４．保持篭の部材を柄の先端に取り付ける軸ボルトとナット。
５．ストッパー。
←．ストッパーの移動方向。
→．ストッパーの移動方向。
６．一般的な石積みによる石塔型のお墓の外形。
７．墓に付随する泉水桶。
８．墓の遺骨霊安室。
９．ＬＥＤによる照明灯。
【図１】
0003144511.tif 000003
【図２】
0003144511.tif 000004
【図３】
0003144511.tif 000005
【図４】
0003144511.tif 000006
【図５】
0003144511.tif 000007